(57)【要約】【課題】鉢植えの給水に於いて、通常シャワー・如雨露等で、手間をかけて行っていたのを、簡単な方法で、水を無駄にする事無く給水出来、あらゆる植物の給水に適合出来る構造の鉢セットにする。【解決手段】鉢本体１に給水の為の外部接続口５を設け、給水タンク３を簡単に脱着出来る様にした構造の鉢セットである。給水タンク３の液面レベルに応じて鉢内の土の自己浸透作用で全般に吸水される様になっている。植物が消費した分、蒸発等で減った分の水のみが補給される様になっている。給水タンク３にペットボトル等の補助タンク１０を追加する事により、補給水量の増量と、給水タンク３の液面レベルを一定に保つ事が出来る。又、補助タンク１０に接続する部品に、セット高さを調整出来る構造を追加する事により、給水タンク３の液面レベルを変える事が出来、土の吸水量が調整出来る。【選択図】　　　　図２
2004081167.tif 000002
【特許請求の範囲】
【請求項１】
鉢の下部給水口と給水タンクを接続する構造に於いて、給水タンクの液面高さでは漏れない構造の鉢で、鉢と給水タンクの給水口とがシール接合させつつネジ、フック等の固定金具にて簡単に固定及び取外し出来る様にした鉢。
【請求項２】
請求項１に於いて、給水タンクに液面確認窓を設け、この液面高さレベルにより鉢内の土の吸水量が分かる様にした鉢。
【請求項３】
給水タンクに設けるペットボトル等の補助タンクにおいて、補助タンク口部の穴の中に取付部品の閉止栓を挿入し補助タンクを倒立させた時にこぼれなくさせ、補助タンクをセットさせる時、口部取付部品が底面に当たり補助タンク毎押し込む事により閉止栓が補助タンクの中迄突き抜け開栓となる補助タンク口部取付け部品。
【請求項４】
請求項４の取付部品に於いて、高さ調整用のソケットガイドを設け、ねじ込む事により補助タンクセット時の高さレベルを可変出来る様にした構造の補助タンク口部取付部品。
【発明の詳細な説明】
【０００１】
【発明が属する技術分野】
本発明は、鉢内の植物への給水作業を効率的に且つ簡単に行える様にした鉢の給水構造と補助タンクの構造に関する。
【０００２】
【従来の技術】
鉢に給水する場合、如雨露又はシャワー等で散水して給水しており、植物の成長に伴い注意深く散水する必要があった。又、余分に給水しても鉢底から排出するだけで保水量にも限界があった。特に夏場で水の消費量が多い時は給水回数も多くする必要があった。
【０００３】
従来の給水口付きの鉢は、鉢の底に溜める構造となっており、注入口も底の近くにあり給水する場合専用のポット等で入れる必要があり、注意深く入れる必要があった。
【０００４】
ペットボトル等を倒立式の補助タンクとして利用する場合、タンク口部を開放したまま倒立させる為、こぼしながらセットする必要があった。
【０００５】
【発明が解決しようとする課題】
鉢に給水する場合、散水した水が鉢底より排出されたりしてしまう為、水を無駄にしてしまうという問題点があった。又、底に給水タンク付きの鉢もあるが、タンク水量の把握がし難いのと、タンク単体だけを簡単に切り離せないという問題点があった。
【０００６】
鉢の給水状態は、素人では分かり難く気が付いた時にはしおれかかっていたり、夏場では水持ちが悪いため１日に何回も給水してやる必要があり、うっかり忘れてしまうという問題点があった。
【０００７】
鉢の下面を水に浸けて水持ちを良くする方法があるが、ほっておくと土の通気性が悪くなり根腐れを起こすという問題点があった。
【０００８】
倒立式の補助タンクとして、空きペットボトル等を利用する場合、口部解放のまま倒立させるとセットする時にボトル内の水をどうしてもこぼしてしまうという問題点があった。又、既存の灯油タンクに使っている様な弁体付きの口金を設ける方法もあるが、水の場合表面張力が大きく水の通過面積を大きくしないと作動不良を起こす問題点があった。又、長期間放置する事により藻・水あか等が発生し複雑な構造の部品では作動不良を起こす問題点があった。
【０００９】
【課題を解決するための手段】
この発明は、鉢の下部に給水口を設け、これに接続した給水タンクの液面高さでは漏れない構造の鉢とし、鉢と給水タンクが簡単に脱着出来る様にする事により、従来の問題点を解決したものである。
【００１０】
この鉢と給水タンクを接続する事により、給水タンクの液面レベルと同レベルになる様に鉢の方に水が給水される。給水された水は、土の自己浸透作用により回りの土に吸水され、植物が吸収した分、及び蒸発した分だけ補給する事が出来き、散水等による給水方法に比べ、水の無駄な消費を防止出来る。又、給水タンクに液体肥料を適量入れてやれば植物の発育促進につながる上、肥料を無駄なく利用出来る。
【００１１】
土の吸水量は、給水タンクの液面高さに相関性があり、タンク液面高さを上げる事により鉢内の土吸水高さも上昇し、土の吸水量を増やす事が出来る。この事により、給水タンクの液面高さを見る事で簡単に鉢内の土の吸水量が把握出来、誰でも簡単に土のしめり具合が掴める。
【００１２】
給水タンクには排水栓がついており、排水栓を開ける事により鉢内の水抜きが出来、定期的に抜く事により根腐れを防止させたり、又、タンクを外す時に水がこぼれ出るのを事前に防止する事が出来る。
【００１３】
ペットボトル等を倒立式のタンクとしてセットする場合、ペットボトルの口の中に弾力性のある閉止栓を挿入する事により倒立させてもこぼれなく出来る。この閉止栓はロッドで押込みガイドと繋がっており、補助タンクをセットする時、タンク毎下に押し込む事により閉止栓がタンクの中迄突き抜け開栓出来る。
【００１４】
【発明の実施の形態】
この発明は、鉢の下部に給水タンク接続口を設け、給水タンクの液面レベルでは水が漏れない構造の鉢とし、給水タンクと鉢は簡単に分割と結合が出来る様にした構造の鉢セットである。給水タンクを接続すれば、給水タンク液面高さに応じて鉢の土水分量が変化する為、土の水分量の目安が給水タンクの液面高さで分かる。
【００１５】
土の吸水は、給水タンクの液面高さに応じて鉢の土に水が伝搬し、給水タンク液面高さ近く迄が水飽和状態の土になり、この部分より土の自己浸透作用により吸水される様になる。土の水分量は、水飽和状態の土に達する高さレベルを変えてやる事により変化させる事が出来、即ち給水タンクの液面高さレベルにより変化する様になる。
【００１６】
又、給水タンクを外す事により、今度は鉢の水が給水タンク接続口より排水され、気密状態だった水飽和領域の土が解放され通気性が回復させる事が出来る。定期的に解放させてやる事により、根腐れを防止する事が出来る。又、水を長時間溜めておく給水タンクで、藻・水あか等の発生により汚れた場合、取外して簡単に掃除が出来る。
【００１７】
給水タンクは、ペットボトル等の倒立式補助タンクを挿入出来るサイズになっており、補助タンクの倒れ防止を兼ねている。又、セットする事により給水タンク液面高さが一定になる様に補助タンクより補給出来る。毎日世話が出来ない場合でも、水を切らす事無く給水出来る様になる。
【００１８】
ペットボトル等を補助タンクとして倒立させてセットさせる時に、ペットボトル口部の内面に閉止栓付きの押込みガイドを挿入してやる事により、補助タンク内の水をこぼす事無く倒立させる事が出来る。更に、セット位置で補助タンクを下に押しつける事により閉止栓が補助タンクの中迄突き抜け、補助タンクが開放出来る。
【００１９】
閉止栓は、タンク口部内面を閉塞出来る様に発砲ゴム等による弾力のある栓体で出来ており、これとロッドで繋がった押込みガイドとで構成されており、補助タンク口部内面に閉止栓を止めた状態が閉栓状態となり、更に補助タンク口部と、押込みガイドの当たる所迄押込むと、閉止栓がタンクの中迄入ってしまい、開栓状態となる。
【００２０】
又、押込みガイドを内筒と外筒に分けネジ式で上下高さを変更出来る構造を追加する事により、補助タンクのセット高さが変更出来る様になり、給水タンクの液面レベルが調整出来る。
【００２１】
【実施例１】
この発明の実施例である図１について説明する。鉢本体１の中に完全に埋まる様に中仕切２が有る。中仕切２で仕切られた内側の部屋は、下部の穴より外部接続口５に繋がっている。給水タンク３を接続しない場合は、外部接続口５が排水口となる。
【００２２】
給水タンク３を接続する場合は、外部接続口５でＯリングによりシール接続となり、化粧ビス４等で鉢本体１と給水タンク３が固定される。給水タンク３には液面確認窓７が付いており外部より水量を確認する事が出来る。この液面確認窓７の液面高さと鉢内の土の含水量に相関性がある事より、鉢内の土の含水量が簡単に把握出来る様になった。
【００２３】
又、給水タンク３の下部には排水栓６が付いており、開ける事により鉢内の水も排水させる事が出来き、鉢内の水をクリーニング出来る。定期的にクリーニングする事により植物を腐らせる事無く育成し続ける事が出来た。
【００２４】
【実施例２】
図２の実施例は、給水タンク３にペットボトル等の補助タンク１０をセットした状態を示す。給水タンク３は、補助タンク１０が簡単に入る大きさになっており、補助タンク１０の倒れ止めを兼ねている。給水タンク３の液面が、補助タンク１０の口部より下がると、補助タンク内にエアーを吸い込み補助タンク内の水が放出される。これにより、給水タンク３の液面は、補助タンク１０の水が無くなる迄一定に保持出来る。
【００２５】
この方法により、補助タンク１０による水の増量が出来、水を補給する回数を大幅に減らすことが出来た。
【００２６】
【実施例３】
図３の実施例は、補助タンク１０に接続する接続部品を示す。閉止栓１１は、柔らかいゴム質で出来ており、補助タンク１０の口部内面をシール出来る様になっている。補助タンク１０の口部の多少の内径誤差は、弾力性を持たせた閉止栓１１で許容出来る様になっている。
【００２７】
閉止栓１１は、押込みガイド１３とロッドで繋がっている。補助タンク１０の口部キャップ用ネジ部には、摺動ジョイント１２をネジ込み、摺動ジョイント１２の外面と、押込みガイド１３の内面とが入り込み摺動出来る様になっている。図３は、閉止栓１１が補助タンク１０の口部内面を閉止している状態である。
【００２８】
補助タンク１０に水を満タンにした後、閉止栓１１を補助タンク１０の口の中に挿入する。一端、補助タンク１０の中迄突き抜けさせ、閉止栓１１が補助タンク１０の口部内面で止める事により、補助タンク１０を倒立させても、水がこぼれなくなる。
【００２９】
補助タンク１０をセットする時は、倒立した状態で置くと押込みガイド１３が下面に着き、更に補助タンク１０を押しつけると、押込みガイド１３に繋がった閉止栓１１が補助タンク１０の口部を突抜け開栓させる事が出来る。この時押込みガイド１３は、補助タンク１０に固定した摺動ジョイント１２の外筒面が当たる所迄はまり込み、補助タンク１０を固定出来る様になる。
【００３０】
図４は、補助タンク１０をセットした状態を示す。補助タンク１０内の水は、開栓された閉止栓１１の間を抜け、摺動ジョイント１２の穴部を抜け、押込みガイド１３の排出穴１４より排出出来る。この方法により、補助タンク１０をセットする時にこぼす事無く出来た。
【００３１】
【実施例４】
図５は、補助タンク１０のセット高さを調整出来る様にした接続部品の実施例を示す。高さ調整付押込みガイド１３ａの下部にネジを設け、これに高さ調整ガイド１５をネジ込める様にし、ネジ込み深さにより高さが変えれる様になっている。図５は、高さ調整ガイド１５を奧までネジ込んだ状態を示しており、補助タンク１０が一番低い高さにセット出来る。これにより、給水タンク３の液面レベルを低い位置に設定出来る。
【００３２】
図６は、高さ調整ガイド１５を最大に伸ばした状態を示している。これにより、補助タンク１０が一番高い位置のセットとなり、給水タンク３の液面レベルが高い位置で設定出来る。この方法により給水タンク３の液面高さレベルを簡単に調整出来る様になり、給水タンク３に接続した鉢本体１の土の水分量の調整を行う事が出来た。
【００３３】
【発明の効果】
この発明により、鉢本体１と給水タンク３が脱着自由になり、給水タンク３を接続する事により、タンクを接続した分給水回数を減らす事が出来る。又、給水タンク３を外す事により、タンク内の汚れを掃除したり、鉢本体１内の水が排水出来、鉢内のクリーニングが出来る。
【００３４】
又、鉢本体１の土８の含水量が給水タンク３の水９の液面高さにより把握出来る様になり、給水タンク３に設けた液面確認窓７により詳細に把握出来る。鉢内の水が不足して来た場合には、給水タンク３の水も不足し液面確認窓７より液面の確認が出来なくなり、鉢内の含水状況が素人でも顕著に把握出来る様になった。
【００３５】
給水タンク３の下部に排水栓６を設ける事により、給水タンク３を接続したまま鉢本体１の水も抜くことが出来、給水タンク３を外さ無くても鉢内のクリーニングが出来る。又、排水栓６の代わりに排水コックと排水ホース等を設け排水を所定の所に流す様にすれば、こぼす事無く排水出来る様になる。根腐れを起こしやすい植物等の場合、定期的にクリーニングしてやる事により根腐れを防止出来る。
【００３６】
給水タンク３に補助タンク１０をセットする事により、給水タンク３の液面レベルが一定に保持出来る為、鉢内の土の含水量を一定に保ったまま給水出来る。補助タンク１０により、水量アップした分給水回数を減らす事が出来、補助タンク１０の入替え作業のみで給水が出来る様になり、給水作業が大幅に簡略化出来る。
【００３７】
補助タンク１０に、ペットボトル等を代用すればリサイクルに役立ち、補助タンク１０口部に接続する部品セット、図３、図４、を追加する事により、補助タンクを倒立させてセットする時にタンク内の水をこぼす事無くセット出来る。又、ペットボトル等を代用した場合、改造する事無く利用出来るので、汚れた場合ペットボトルのみの取替えで済む。
【００３８】
又、補助タンク１０口部に接続する部品セット、図５、図６、を追加する事により、補助タンクのセット高さが簡単に変更出来る様になり、鉢内の土の含水量調整が出来る様になり、育成する植物に合わせて調整する事が出来る様になる。
【図面の簡単な説明】
【図１】給水口付き植物栽培用の鉢と給水タンクを接続した図である。
【図２】給水口付き植物栽培用の鉢と給水タンクと補助タンクを接続した図である。
【図３】補助タンクに接続する部品の構造を示した図で、タンク閉状態の図である。
【図４】補助タンクに接続する部品の構造を示した図で、タンク開状態の図である。
【図５】給水タンクに補助タンクをセットした構造図で、補助タンクセット高さ低の図である。
【図６】給水タンクに補助タンクをセットした構造図で、補助タンクセット高さ高の図である。
【符号の説明】
１　　鉢本体
２　　中仕切
３　　給水タンク
４　　化粧ビス
５　　外部接続口
６　　排水栓
７　　液面確認窓
８　　土
９　　水
１０　　補助タンク
１１　　閉止栓
１２　　摺動ジョイント
１３　　押込みガイド
１３ａ　高さ調整付押込みガイド
１４　　排出穴
１５　　高さ調整ガイド
【図１】
2004081167.tif 000003
【図２】
2004081167.tif 000004
【図３】
2004081167.tif 000005
【図４】
2004081167.tif 000006
【図５】
2004081167.tif 000007
【図６】
2004081167.tif 000008
【手続補正書】
【提出日】平成15年1月28日(2003.1.28)
【手続補正１】
【補正対象書類名】明細書
【補正対象項目名】特許請求の範囲
【補正方法】変更
【補正の内容】
【特許請求の範囲】
【請求項１】
下部に給水接続口を設けた鉢と給水タンクを接続する構造に於いて、給水タンクの液面高さに応じて鉢内の水分バランスがとれ、漏れなくなる構造の鉢で、鉢の給水接続口と給水タンクの給水口とがシール接合させつつネジ、フック等の固定具にて簡単に固定及び取外し出来る様にした一体構造の鉢。
【請求項２】
給水タンクに設けるペットボトル等の倒立式補助タンクにおいて、補助タンク口部の穴の中に取付部品とロッドで繋がった閉止栓を挿入し、補助タンクを倒立させた時にこぼれなくさせ、補助タンクをセットさせる時、口部取付部品を底面に当て補助タンク毎下へ押し込む事により閉止栓が補助タンクの中迄突き抜け開栓となる補助タンク口部取付け部品。
【請求項３】
請求項２の取付部品に於いて、高さ調整用のソケットガイドを設け、ねじ込む事により補助タンクセット時の高さレベルを可変出来る様にした構造の補助タンク口部取付部品。